(57)【要約】      （修正有）【課題】メーカー調整のカップ飲料についてシール蓋に飲み口や空気入口を容易にかつ静かにかつ円滑に形成することができ、また未開封時にシール蓋を傷つける恐れのない開封補助治具を提供すること。【解決手段】つめ６とタブ７とをシール用フランジに取り外し可能に係合可能なフランジ係止部８を間に具え、つめ６は先端部にシール蓋５を切開可能な切刃１３を有していて後端部でフランジ係止部８に連設されている。【選択図】図１
2008143581.tif 000002
【特許請求の範囲】
【請求項１】
シール蓋がヒートシールされるシール用フランジを持つカップ型容器に装着して前記シール蓋を切開する開封補助治具であって、前記開封補助治具は、少なくともつめとタブとフランジ係止部とを有し、前記つめは前記シール蓋を切開可能なエッジを有するとともに後端部が前記フランジ係止部に連設し、前記タブは操作指掛りを有し、前記フランジ係止部は前記つめと前記タブとの間に位置するとともに前記フランジに取り外し可能に係合可能に構成されていることを特徴とする開封補助治具
【請求項２】
前記フランジ係止部は協働して前記シール用フランジを間に挿入させて前記シール用フランジに係合可能な上係止片と下係止片とを有することを特徴とする請求項１記載の開封補助治具
【請求項３】
前記つめはカップ型容器に装着した状態において前記つめが前記上端開口に沿う方向寄りに位置しかつ前記タブが前記カップ型容器の胴部に沿う方向寄りに位置するように構成し、前記フランジ係止部が前記タブを引き起こした際の前記開封補助治具の回動中心となるように構成されていることを特徴とする請求項１または２記載の開封補助治具
【発明の詳細な説明】
【技術分野】
【０００１】
この発明は飲料を収容するカップ型容器に装着してその開封をするときに使用する開封補助治具に関するものである。
【背景技術】
【０００２】
店頭で調整したホットコーヒーなどのホット飲料を店頭で購入して持ち帰るときに使用するカップ型容器では、客の注文毎にカップにホットコーヒーを入れ、これにカップの上からオーバーキャップをかぶせて、顧客に手渡される。
【０００３】
オーバーキャップには、縁部に飲み口と空気入口が形成されていて、客はオーバーキャップをカップから外さずに、オーバーキャップの上から飲み口を通して内容物を飲用する（特許文献１参照）。
【０００４】
一方飲料メーカーが調整、販売するカップ飲料では、飲料メーカーが飲料をカップに充嗔し、カップの上端をフィルム状の蓋材でシールして出荷する。このカップ飲料でもカップの上面にシール蓋を保護するためのオーバーキャップを装着してシール蓋を覆うが、このシール蓋を剥さずにオーバーキャップの上からカップ内の飲料を飲むことが要求されて来ている。
【０００５】
【特許文献１】特開２００６−１６０３６６
【特許文献２】特開２００４−１２３１５５
【特許文献３】特開２００６−６９６５８
【発明の開示】
【発明が解決しようとする課題】
【０００６】
しかし店頭販売用カップ用のオーバーキャップをカップ飲料用オーバーキャップとしてそのまま転用することはできない。
【０００７】
これを、シール蓋を有するカップに転用すると、開口のときにオーバーキャップの取外し、及び再取付が必要であるし、別にシール蓋を開封するための開口器具も必要になる。  また、飲料メーカーが調整、販売するカップ飲料の場合は流通ラインに乗せるために、カップ上端に開口部を覆うシール蓋が存在するので、飲む時はシール蓋を開口させるための手段が必要になるが、この開封手段は、内容物を加熱したときに、カップの内圧が上昇してシール蓋がふくらんだときに、開封手段と接触して、シール蓋が損傷することがあってはならない。しかも、内容物がホットの高温飲料や有色飲料の場合は、内容物が開口時の振動で波立ってカップの外にあふれ出る事故を防ぐために、シール蓋を開口させる動作が特に静かに円滑に行うことができるものであることが望まれる。
【０００８】
また開封具としてストローを用いることはコールド飲料に対しては可能であるが、ホット飲料を飲むことは危険であるので使用できない。
シール蓋を切開して飲み口を形成する補助治具としては特許文献２及び３に記載したものがあるが、これらの治具ではカップ上端に装着したオーバーキャップにカッターがヒンジを介して連結していて、このカッターがスイングしてシール蓋と接触して切開するものであるが、これらの補助治具はカッターの刃先がシール蓋に向った下向きになっているので、シール蓋がふくらんで刃先と接触したときには、シール蓋を傷つけてしまう恐れがある。
【０００９】
また、シール蓋は周辺部に初期開口し、順次中央寄りに切り進められて開口する。切開された飲み口はシール蓋の周辺部分の初期開口の部分で小さく、切開の終了点であるシール蓋の中央寄りの部分で大きいので、カップを大きく傾けないと充分な量が唇内に流れ込まない。
【００１０】
また特に特許文献３に開示された開封補助治具は、カップ型容器の開口縁部は貼着されたフィルムからなるシール蓋を完全にかつスムーズに開封することを目的として、天板（１２）に切り欠き部（１６）を形成し、切刃部（３０）を有する支持部材を変位可能に設けた構成となっている。支持部材（２２）は多孔状部材で、水平状の内端部（２２ａ）と弧状の外端部（２２ｂ）とを有する扇状に形成されている。そして、内端部２２ａをヒンジ２４を介して天板１２の垂直支持壁１８に連結させ、外端部２２ｂはブリッジ２６を介して天板１２の傾斜内壁２０に連結させている。
【００１１】
しかしながら、この特許文献３に示される開封補助治具は、支持部材を多孔状部材で構成するなど、構造が複雑で、高コストなものになっており、もっと構造が簡単で低コストで、カップ個々に装着できる開封補助治具の開発が望まれている。
【００１２】
このようなことから、メーカー調整のカップ飲料についてシール蓋に飲み口や空気入口を容易にかつ静かにかつ円滑に形成することができ、また未開封時にシール蓋を傷つける恐れのない開封補助治具を提供することを目的とするものである。
【課題を解決するための手段】
【００１３】
この目的に対応して、この発明の開封補助治具は、シール蓋がヒートシールされるシール用フランジを持つカップ型容器に装着して前記シール蓋を切開する開封補助治具であって、
前記開封補助治具は、少なくともつめとタブとフランジ係止部とを有し、前記つめは前記シール蓋を切開可能なエッジを有するとともに後端部が前記フランジ係止部に連設し、  前記タブは操作指掛りを有し、前記フランジ係止部は前記つめと前記タブとの間に位置するとともに前記フランジに取り外し可能に係合可能に構成されていることを特徴としている。
【発明の効果】
【００１４】
請求項１に記載した開封補助治具によれば、タブを引き上げるだけでシール蓋を切開し飲み口を形成することができるので操作がきわめて容易である。
【００１５】
しかもこのタブを引き上げる操作は消費者が従来からの金属缶のイージーオープン缶蓋を切開する操作において使い慣れているので、操作に困難を来すことがない。
この開封補助治具はつめとタブとそれらを連結するフランジ係止部とから構成されているので、つめを容器に取り付けるための容器上面を覆う枠体などを必要とせず、構造がきわめて簡単で、省資源化を実現することができる。
【００１６】
つめはフランジとフランジ係止部との間のクリアランスを利用して回転し、またはフランジの変形を利用して回転するので、ヒンジ機構や回転機構を必要とせず、補助治具の構造がきわめて簡単になる。
【００１７】
シール蓋の切開が完了した時にはフランジが弾性変形して、このフランジがフランジ係止部の隙間から容易に抜けるので、開封補助治具をフランジから外すことができ、開封補助治具が飲用の邪魔になることはない。
【００１８】
切開動作としてつめはシールフランジとの係合部を中心として回転するので、シール蓋は中央部に初期開口が形成され、周辺寄りに切り進められて開口するので、切り除かれた切片はカップ胴部の内面に沿った状態となるので、飲むときに開口した飲み口を塞ぐことがなく、液通路の形状が安定する。
【００１９】
しかも切開された飲み口はシール蓋の中央部分の初期開口の部分で小さく、切開の終了点であるシール蓋の周辺寄り部分で大きいので、カップを少し傾けても充分な量の内容物を飲むことができる。
【００２０】
請求項２に記載した開封補助治具によれば、フランジ係止部を上係止片と下係止片とだけで構成するので、フランジと係用させる動作が容易でかつ飲み口形成が完了した後のフランジからの離脱も容易である。
【００２１】
請求項３に記載した開封補助治具ではつめとタブがほぼ直角をなして、全体としてカップ形容器の外面に添う形状をなすので、容器の外方に突出する部分がなく、容器の保持に邪魔になることがない。
【発明を実施するための最良の形態】
【００２２】
以下、この発明の詳細を実施するための最良の形態について図面を参照しつつ説明する。
【００２３】
図１から図３において、１はこの発明の開封補助治具であり、開封補助治具１はカップ型容器２の上端に装着されて使用されるものである。カップ型容器２の上端部には一周するフランジ３が形成されており、その内側は開放して開口４となっており、その開口４はフランジ３にヒートシールされたフィルム状のシール蓋５で閉じられている。このシール蓋５がこの発明の開封補助治具１による切開の対象である。
【００２４】
開封補助治具１はつめ６とタブ７とフランジ係止部８とを有する。
つめ６は開封補助治具１がシール蓋５を切開する部分であってフランジ３に装着された状態において開口４にほぼ平行に位置する。つめ６は先端部が鋭利な尖端状で基端部１２が広幅をなすほぼ三角板状をなしていて、外周部の縁がシール蓋５を切る切刃３を構成し、基端部１２でフランジ係止部８に連結している。
【００２５】
フランジ係止部８はカップ型容器２のフランジ３に係合及び離脱が可能に連結する部材である。フランジ係止部８は外周が円弧状または直線状をなすフランジ３に沿って位置することが可能な上係止片１４と下係止片１５とを間隙１６を置いて有している。上係止片１４と下係止片１５とは協働してフランジ３を間隙１６内に差し入れてはさみ込み、フランジ３に係脱可能に連結する。
【００２６】
タブ７は開封補助治具１を手指で摘んで操作するための部材で、板状をなし、中央部に切開時に開封補助治具１を操作するための操作用指係りとして機能する指掛け孔１７が設けられている。タブ７は上端部でフランジ係止部８に連結している。
つめ６とタブ７とフランジ係止部８は一平面内または平行な平面内に配置してもよいが、この実施形態では図２で示すようにつめ６とタブ７をほぼ垂直な姿勢に形成してもよい。  すなわち、つめ６とタブ７とはカップ型容器２に装着した状態において、つめ６がカップ型容器２の上端開口に沿う方向寄りに位置し、タブ７がカップ型容器２の胴部に沿う方向寄りに位置するように構成している。こうすることによって、開封補助治具１をカップ型容器２に装着したときにカップ型容器２の外方に極端に突出する部分がなく、カップ型容器２の保持に邪魔になることがない。
【００２７】
このように構成した開封補助治具１によるシール蓋５の開封動作は次の通りである。
飲料メーカーなどにおいてカップ型容器２内に内容物が充填され、フランジ３にシール蓋５をシールして密封し、出荷される。
【００２８】
小売店においてはカップ型容器２ごと内容物を加温してホット飲料とし、または加温しないでコールド飲料のまま顧客に販売する。開封補助治具１はカップ型容器２の胴部に仮装着したり、また開封補助治具１がつめとタブが垂直に配置されている形状の場合には、開封補助治具１をフランジ３に係止してカップ型容器に装着したりして添付し、または店頭で販売する都度などにカップ型容器２に別添したりすることもできる。
【００２９】
顧客は飲む時に、開封補助治具１のフランジ係止部８の上係止部１４と下係止部１５の間の間隙１６にカップ型容器２のフランジ３を挟み込んで、フランジ係止部で開封補助治具１をカップ型容器２に取付ける。
【００３０】
次いでタブ７を摘んで引き上げるとフランジ係止部８が取付けられているフランジ３が上側に曲がり変形し、これによって開封補助治具１が曲がり変形したフランジ３を中心として回転し、つめ６の切刃部１１が下向きに回転し切刃１３がシール蓋５に当接し、さらに下降してシール蓋５を初期開口し、引き続いて切刃１３の回転下降にしたがってシール蓋５が切開される。つめ６がカップ型容器２の胴の内面に沿う垂直位置に達して、切開動作は終了し、切られたシール蓋５の切片は胴の内面に沿ってたれ下る。
【００３１】
次に開封補助治具１をカップ型容器２のフランジ３から外し、切開形成された飲み口から内容物を飲用する。もしくは必要に応じて、カップ型容器２の上にオーバーキャップ（図示せず）をかぶせ、オーバーキャップの飲み口から内容物を飲用する。
【００３２】
以上の説明から明らかな通り、この発明によればメーカー調整のカップ飲料についてシール蓋に飲み口や空気入口を容易にかつ静かにかつ円滑に形成することができ、また未開封時にシール蓋を傷つける恐れのない開封補助治具を得ることができる。
【図面の簡単な説明】
【００３３】
【図１】開封補助治具の平面図
【図２】開封補助治具の側面図
【図３】開封補助治具の正面図
【図４】開封補助治具の使用状態を示す側面図
【符号の説明】
【００３４】
１    開封補助治具
２    カップ型容器
３    フランジ
４    開口
５    シール蓋
６    つめ
７    タブ
８    フランジ係止部
１１  切刃部
１２  基端部
１３  切刃
１４  上係止片
１５  下係止片
１６  間隙
１７  指掛け孔
【図１】
2008143581.tif 000003
【図２】
2008143581.tif 000004
【図３】
2008143581.tif 000005
【図４】
2008143581.tif 000006